(57)【要約】      （修正有）【課題】給水ホースと給水弁との間の水漏れを抑制可能な洗濯機を提供する。【解決手段】一端側にエルボ部２３を有する給水ホースと、筐体に設けた給水弁４０と、給水ホースのエルボ部２３の他端側２３７及び給水弁４０を固定する締結部材３０と、を有し、給水ホースの他端側２３７に設けた第１溝２３４に環状の第１封止部材５０を配することにより、第１封止部材５０がエルボ部２３によって上側、内径側、及び下側から押えられ、第１封止部材５０がエルボ部２３の締結過程で傾いたりすることを抑制できるので、第１封止部材による封止を効果的に行うことができる。【選択図】図３
2018183303.tif 000002
【特許請求の範囲】
【請求項１】
給水ホースと、
筐体に設けた給水弁と、
前記給水ホースの他端側及び前記給水弁を固定する締結部材と、を有し、
前記給水ホースの他端側に設けた第１溝に環状の第１封止部材を配することが可能な洗濯機。
【請求項２】
前記第１溝に対して、前記給水ホースの一端側に第１リブを、他端側に第２リブを有し、
前記締結部材によって前記給水弁及び前記給水ホースが固定された状態では、前記第１リブ及び前記第２リブの間に前記第１封止部材が位置し、
該第１封止部材の内周面は、前記第１リブ及び前記第２リブの外周面より内周側に位置することを特徴とする洗濯機。
【請求項３】
前記締結部材によって前記給水弁及び前記給水ホースが固定された状態では、前記給水ホースの他端は、前記第１封止部材よりも前記筐体に近い位置に届いていることを特徴とする請求項１又は２に記載の洗濯機。
【請求項４】
前記締結部材によって前記給水弁及び前記給水ホースが固定された状態では、前記第１封止部材は、一面側が前記第１リブに略接触し、他面側が前記給水弁の先端部及び前記第２リブに略接触し、内径側が前記給水ホースの他端側に略接触していることを特徴とする請求項１乃至３何れか一項に記載の洗濯機。
【請求項５】
前記第１封止部材よりも前記筐体側の位置に第２封止部材を有し、
前記第２リブよりも前記筐体側の位置に第３リブを有し、
前記第２封止部材は、前記第２リブ及び前記第３リブの間に設けられていることを特徴とする請求項１乃至４何れか一項に記載の洗濯機。
【請求項６】
前記締結部材によって前記給水ホース及び前記給水弁が固定された状態では、前記締結部材の筐体側先端よりも前記給水ホースの他端の方が前記筐体に近い位置にあることを特徴とする請求項１乃至５何れか一項に記載の洗濯機。
【請求項７】
前記締結部材は、前記第１リブのうち、前記筐体から離れた側の面に接触する係止部を有することを特徴とする請求項１乃至６何れか一項に記載の洗濯機。
【請求項８】
前記締結部材は、前記締結部材を締結していく締結工程を行っていくと前記筐体に接触する寸法の突起を有することを特徴とする請求項１乃至７何れか一項に記載の洗濯機。
【請求項９】
他端側に第１溝を有し、該第１溝に環状の第１封止部材を配することが可能な給水ホース。
【請求項１０】
前記第１溝の一端側に設けた第１リブと、
前記第１溝の他端側に設けた第２リブと、を有し、
径方向における前記第１リブの突出量は、前記第２リブの突出量よりも大きく、
当該給水ホースに取り付けた状態で前記第１リブの一端側に接触する係止部を有する締結部材を利用して給水弁に取り付けることが可能な請求項９に記載の給水ホース。
【発明の詳細な説明】
【技術分野】
【０００１】
本発明は、洗濯機及び給水ホースに関する。
【背景技術】
【０００２】
特許文献１は、ナット本体台座部４の内側に円環状のシール用パッキング部材６を設け、このシール用パッキング部材６の内周上側部分に位置する円筒状のリブ７をエルボ部材１２に設けている（段落００３４，００３５、図２）。
【先行技術文献】
【特許文献】
【０００３】
【特許文献１】特開２０１３−２３６６９７号公報
【発明の概要】
【発明が解決しようとする課題】
【０００４】
特許文献１は、パッキング部材６の上側にエルボ１２のリブ７が位置し、下側に給水弁５のねじ端部１１が位置する構造である。このような構造の場合、パッキング部材６が位置ずれしたり意図しない方向に曲げられたりして水の封止を効果的に行えず、水漏れが生じる虞がある。
【課題を解決するための手段】
【０００５】
上記事情に鑑みてなされた本発明は、給水ホースと、筐体に設けた給水弁と、前記給水ホースの他端側及び前記給水弁を固定する締結部材と、を有し、前記給水ホースの他端側に設けた第１溝に環状の第１封止部材を配することが可能な洗濯機である。
また、他端側に第１溝を有し、該第１溝に環状の第１封止部材を配することが可能な給水ホースである。
【図面の簡単な説明】
【０００６】
【図１】実施例１の洗濯機の斜視図
【図２】実施例１の給水ホース接続口近傍の断面図
【図３】実施例２の給水ホース接続口近傍の断面図
【図４】実施例３の締結部材の斜視図
【図５】実施例３の締結部材及び給水弁の締結工程終了時の断面図
【発明を実施するための形態】
【０００７】
以下、本発明の実施例を添付の図面を参照しながら詳細に説明する。洗濯機（洗濯乾燥機）としては、種々公知の種類を採用することができ、例えば、縦型の洗濯機（洗濯乾燥機）、ドラム式の洗濯機（洗濯乾燥機）に適用することが可能である。
【実施例１】
【０００８】
［洗濯機１］
図１は実施例１の洗濯機１の斜視図、図２は実施例１の給水ホース接続口１２近傍の断面図である。
洗濯機１は、洗濯機本体１０と、給水ホース２０と、締結部材３０と、給水弁４０と、第１封止部材５０と、第２封止部材６０とを備えている。洗濯機１は、不図示の外槽、内槽、モータ、除湿手段、加熱手段（ヒータ）、送風手段（送風ファン）などを含んで構成されている。外槽は、洗濯室および乾燥室として機能するものであり、筐体１１内において弾性支持されている。内槽は、外槽内に設けられ、モータによって回転駆動される。除湿手段は、乾燥運転時に生じる高温多湿の空気を冷却して除湿する機能を有している。加熱手段は、乾燥運転時に除湿された空気を加熱する機能を有している。送風手段は、加熱手段、外槽（内槽）、除湿手段の順に空気を循環させる機能を有している。本実施例は、洗濯機１として乾燥機能を備える洗濯乾燥機を例示するものだが、乾燥機能を有しない洗濯機であってもよい。
【０００９】
［洗濯機本体１０］
洗濯機本体１０は、筐体１１、給水ホース接続口１２、及び風呂水ホース接続口１３を有する。給水ホース接続口１２、及び風呂水ホース接続口１３は、筐体１１に上方向に向けて開口して設けられている。また、給水ホース接続口１２には、給水弁４０及び締結部材３０を介して、給水ホース２０のホース部２１の一端側が接続している。
【００１０】
［給水ホース２０］
給水ホース２０は、ホース部２１、ホース部２１の他端側に設けた継手部２２、ホース部２１の一端側に設けたエルボ部２３を有する。
【００１１】
給水ホース２０は、給水栓１００から供給される水道水（清水）を洗濯機本体１０に供給する。ホース部２１の他端側は、継手部２２を介して給水栓１００に接続されている。また、ホース部２１の一端側は、エルボ部材２３を介して給水ホース接続口１２に接続されている。
【００１２】
ホース部２１は、可撓性を有する例えばゴム製のホースである。給水ホース接続口１２から給水栓１００までの距離（高さ）に応じて撓み変形することができるので、洗濯機本体１０と給水栓１００との距離（高さ）がホース部２１の長さ以下であれば、給水ホース接続口１２と給水栓１００とを接続して給水栓１００から給水ホース接続口１に水道水を供給できる。
【００１３】
継手部２２は、ホース部２１の他端と給水栓１００とを接続する部材であり、公知の部材を採用することができる。
【００１４】
エルボ部２３は、ホース部２１の一端に一端が接続しており、他端が締結部材３０によって給水弁４０に固定された部材である。エルボ部２３は、一端から他端にかけて湾曲した、例えば略９０°曲がった形状をしている。
【００１５】
エルボ部２３の他端側２３７には、エルボ部２３の一端側に近い位置から順に第１リブ２３１、第２リブ２３２及び第３リブ２３３が設けられ、また、第１リブ２３１及び第２リブ２３２の間に第１溝２３４が位置し、第２リブ２３２及び第３リブ２３３の間に第２溝２３５が位置する。
【００１６】
第１リブ２３１、第２リブ２３２及び第３リブ２３３はそれぞれ、エルボ部２３の他端側で、他端側２３７から外径方向に向かって突出した環状、例えば円環状の部分であり、第１リブ２３１が第２リブ２３２よりも突出量が大きい。第１リブ２３１は、その外径側の部分が給水弁４０のねじ部４１の延長線に重なる。このようにすることで、第１封止部材５０の上下側を第１リブ２３１及びねじ部４１で押えることができる。また、第２リブ２３２が給水弁４０と他端側２３７との間に位置していることから、給水弁４０及び他端側２３７の間から水が漏れることを抑制できる。第２リブ２３２は、給水弁４０に接触又は略接触することが好ましい。
【００１７】
本実施例では、第３リブ２３３はエルボ部２３の他端であるが、その他の部分が他端であっても良い。エルボ部２３の他端は、第１封止部材５０よりも筐体１１側に位置している。このように、第１封止部材５０をエルボ部２３によって上側、内径側、及び下側から押えることで、第１封止部材５０がエルボ部２３（ホース部２１の他端側）の締結過程で傾いたりすることを抑制できるので、第１封止部材５０による封止を効果的に行うことができる。
【００１８】
第１溝２３４には第１封止部材５０が設けられており、第２溝２３５には第２封止部材６０が設けられている。第１封止部材５０及び第２封止部材６０は、それぞれ環状、例えば円環状に形成することができ、ゴム等の可撓性を有する材料で構成することができる。
第１溝２３４及び第２溝２３５それぞれは、給水ホース２０の軸方向両側それぞれ（一端側及び他端側それぞれ）に比して凹んだ部分である。この凹み量は、一端側と他端側とで同様の量である必要はなく、本実施例では、第１溝２３４については、一端側に対する凹み量の方が他端側に対する凹み量より大きく、第２溝２３５については、一端側及び他端側に対する凹み量が略等しい。また、本実施例では、第１溝２３４の一端側が第１リブ２３１、他端側が第２リブ２３２であり、第２溝２３５の一端側が第２リブ２３２、他端側が第３リブ２３３である。
【００１９】
締結部材３０が給水弁４０に固定された状態で、第１リブ２３１は給水弁４０の先端部４１よりも給水ホース接続口１２から離れた位置にあり、第２リブ２３２は給水弁４０の先端部４１よりも給水ホース接続口１２に近い位置にある。
【００２０】
第１封止部材５０は、第１リブ２３１によって上側（一面側）を押えられ、第２リブ２３２によって下側（他面側）の内径側を押えられ、給水弁４０の先端部４１によって下側の外径側を押えられ、他端側２３７によって内径側を押えられ、締結部材３０によって外径側を押えられることができる。このように、第１封止部材５０は、その内周面（他端側２３７に対向する部分）が、他端側２３７の外周面よりも内周側に位置している。
【００２１】
第２封止部材６０は、第２リブ２３２によって上側を押えられ、第３リブ２３３によって下側を押えられ、他端側２３７によって内径側を押えられ、給水弁４０の内周面によって外径側を押えられることができる。
【００２２】
なお、給水ホース２０として、ホース部２１、継手部２２、及びエルボ部２３をセットで販売しても良いが、これら一部のみをセットで販売しても良い。この場合、例えばエルボ部２３をホース部２１とは別に製造又は販売しても、エルボ部２３の製造又は販売は給水ホース２０の製造又は販売であると解するべきである。
【００２３】
［締結部材３０］
締結部材３０は、頭部３１、傾斜部３２、係止部３３、凹部３４、及びねじ部３５を有する。締結部材３０は中央側の領域が空隙となっており、この空隙にエルボ部２３の他端側を挿入することができる。
【００２４】
頭部３１は、締結部材３０のうち径方向に突出した部分であり、使用者は頭部３１を把持して回転力を加えることで、締結部材３１を給水弁４０に締結させていくことができる。
【００２５】
傾斜部３２は、締結部材３０を給水弁４０に取り付けた状態で、給水弁４０から離れる方向に向かって広がるテーパ状に傾斜している部分である。このようなテーパ状に形成することで、エルボ部２３の曲がり形状に比較的沿わせることができ、エルボ部２３の取付を容易にすることができる。エルボ部２３は、傾斜部３２内に位置して傾斜部３２と対向するフランジ２３６を有しており、締結部材３０を取り外そうとするとフランジ２３６に接触することで、締結部材３０とともにエルボ部２３を取り外しやすくできる。
【００２６】
係止部３３は、第１リブ２３１の上側部分に接触する部分である。これにより、締結部材３０を締結していくことで第１リブ２３１を下方向に押えることができるので、特に第１封止部材５０を押えることができる。
【００２７】
凹部３４は、第１封止部材５０が後述する給水弁４０の先端部４１よりも外径側に位置することを許容する空間である。
【００２８】
ねじ部３５は、給水弁４０のねじ部４２に合せて切られており、締結部材３０及び給水弁４０を固定する部分である。ねじ部３５は締結部材３０の内周面に設けられており、ねじ部４２は給水弁４０の外周面に設けられている。
【００２９】
［給水弁４０］
給水弁４０は、給水ホース接続口１２に取り付けられており、給水ホース接続口１２から離れた位置に位置する先端部４１と、ねじ部４２とを有する。
給水弁４０は筒状であり、一端側にエルボ部２３が取り付けられ、他端側に給水ホース接続口１２が設けられている。
【００３０】
［第１封止部材５０］
第１封止部材５０は、給水弁４０の先端部４１から水が漏れることを抑制する部材であり、先端部４１よりも給水ホース接続口１２から離れた位置に設けられた円環状の樹脂部材にすることができる。
【００３１】
［第２封止部材６０］
第２封止部材６０は、給水弁４０の内周面及びエルボ部２３の外周面の間を水が通過することを抑制する部材である。上述のとおり、第２封止部材６０は、第２リブ２３２及び第３リブ２３３の間に位置する円環状の樹脂部材にすることができる。
【実施例２】
【００３２】
本実施例の構成は、以下の点を除き実施例１と同様にできる。図３は、本実施例の給水ホース接続口１２近傍の断面図である。
本実施例では、第２リブ２３２から他端にかけて径方向寸法が略同一で維持されている。例えば第２封止部材６０を設けない場合は、このようにしても良い。また、エルボ部２３の他端は、締結部材３０と給水弁４０との締結工程を終えた段階で、締結部材３０の筐体１１側端部３６よりもエルボ部２３の他端の方が筐体１１に近い位置にある。このようにエルボ部２３の他端をより筐体１１に近い位置に届かせることで、エルボ部２３のガタつきを抑制することができる。
【００３３】
本実施例では、第１溝２３４の一端側が第１リブ２３１、他端側が第２リブ２３２であり、第２リブ２３２から他端にかけて径方向寸法が略等しいが、このようにしても実施例１と同様の効果が得られる。すなわち、実施例１の構成と同様に、第１封止部材５０や第２封止部材６０は、これらのうち、筐体１１から離れた側（給水ホース２０の一端側）の面、筐体１１に近い側（給水ホース２０の他端側）の面、及び内周側が、給水ホース２０と給水弁４０とを締結部材３０で締結した状態で、給水ホース２０に接触又は略接触していればよい。
【実施例３】
【００３４】
本実施例の構成は、以下の点を除き実施例１又は２と同様にできる。図４は本実施例の締結部材３０の斜視図、図５は本実施例の締結部材３０及び給水弁４０の締結工程終了時の断面図である。締結部材３０は、筐体側１１の端部に、突起３７を有している。突起３７は、締結部材３０と給水弁４０とを固定（締結）していくと、締結工程を終了すべき適切な締結具合に至ったら筐体１１に接触する寸法として設けられている。これにより、締結を行い過ぎて締結力が過大になることを抑制できる。
【符号の説明】
【００３５】
１      洗濯機
１０    洗濯機本体
１１    筐体
１２    給水ホース接続口
１３    風呂水ホース接続口
２０    給水ホース
２１    ホース部
２２    継手部
２３    エルボ部
２３１  第１リブ
２３２  第２リブ
２３３  第３リブ
２３４  第１溝
２３５  第２溝
２３６  フランジ
２３７  他端側
３０    締結部材
３１    頭部
３２    傾斜部
３３    係止部
３４    凹部
３５    ねじ部
３６    筐体側先端
３７    突起
４０    給水弁
４１    先端部
４２    ねじ部
５０    第１封止部材
６０    第２封止部材
１００  給水栓
【図１】
2018183303.tif 000003
【図２】
2018183303.tif 000004
【図３】
2018183303.tif 000005
【図４】
2018183303.tif 000006
【図５】
2018183303.tif 000007